Podtech/llm-jp-corpus-v4-ja_patent huggingface dataset:
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
所定の遊技を行なうことが可能な遊技機であって、
前記所定の遊技を開始するための開始操作を受付ける開始受付手段と、
前記所定の遊技を終了させるための終了操作を受付ける終了受付手段と、
前記開始受付手段によって前記開始操作が受付けられてから前記終了受付手段によって前記終了操作が受付けられるまでの遊技履歴情報を蓄積する遊技情報蓄積手段と、
前記終了受付手段によって前記終了操作が受付けられたことに基づいて、前記遊技情報蓄積手段によって蓄積された前記遊技履歴情報を出力する情報出力手段と、
前記所定の遊技における所定演出の演出状態を変更する演出状態変更手段と、
前記演出状態変更手段によって変更された前記演出状態に応じて前記所定演出を実行する演出実行手段とを備え、
前記演出状態変更手段は、前記終了受付手段によって前記終了操作が受付けられたことを条件として前記演出状態を初期状態とする、遊技機。
【請求項２】
所定の遊技を行なうことが可能な遊技機を含む遊技システムであって、
前記遊技機は、
前記所定の遊技を開始するための開始操作を受付ける開始受付手段と、
前記所定の遊技を終了させるための終了操作を受付ける終了受付手段と、
前記開始受付手段によって前記開始操作が受付けられてから前記終了受付手段によって前記終了操作が受付けられるまでの遊技履歴情報を蓄積する遊技情報蓄積手段と、
前記終了受付手段によって前記終了操作が受付けられたことに基づいて、前記遊技情報蓄積手段によって蓄積された前記遊技履歴情報を出力する情報出力手段と、
前記所定の遊技における所定演出の演出状態を変更する演出状態変更手段と、
前記演出状態変更手段によって変更された前記演出状態に応じて前記所定演出を実行する演出実行手段とを備え、
前記演出状態変更手段は、前記終了受付手段によって前記終了操作が受付けられたことを条件として前記演出状態を初期状態とする、遊技システム。
【手続補正２】
【補正対象書類名】明細書
【補正対象項目名】０００６
【補正方法】変更
【補正の内容】
【０００６】
（１）  所定の遊技を行なうことが可能な遊技機（たとえば、パチンコ遊技機１Ａ、スロットマシン１Ｂ）であって、
前記所定の遊技を開始するための開始操作（たとえば、図１２（Ａ）の「パスワード入力」，開始ボタン操作など）を受付ける開始受付手段（たとえば、演出制御用マイクロコンピュータ３２、図１６のステップＳ３４４〜Ｓ３４７）と、
前記所定の遊技を終了させるための終了操作（たとえば、図１２（Ｂ）の「２次元コードの作成」操作など）を受付ける終了受付手段（たとえば、演出制御用マイクロコンピュータ３２、図１４のステップＳ３７６）と、
前記開始受付手段によって前記開始操作が受付けられてから前記終了受付手段によって前記終了操作が受付けられるまでの遊技履歴情報（たとえば、レベル，達成ミッションなどの遊技履歴情報）を蓄積する遊技情報蓄積手段（たとえば、演出制御用マイクロコンピュータ３２、図９のステップＳ４１，Ｓ４２）と、
前記終了受付手段によって前記終了操作が受付けられたことに基づいて、前記遊技情報蓄積手段によって蓄積された前記遊技履歴情報（たとえば、遊技履歴情報を示す２次元コード）を出力する情報出力手段（たとえば、演出制御用マイクロコンピュータ３２、図１４のステップＳ３７７，Ｓ３７８）と、
前記所定の遊技における所定演出の演出状態（たとえば、音量設定，輝度設定，演出モード設定，キャラ設定などの演出設定情報）を（たとえば、設定変更操作に応じて、開始操作に応じて、遊技の進行に応じて）変更する演出状態変更手段（たとえば、演出制御用マイクロコンピュータ３２、図２８のステップＳ３９１〜Ｓ３９４、図１６のステップＳ３５８）と、
前記演出状態変更手段によって変更された前記演出状態に応じて前記所定演出を実行する演出実行手段（たとえば、演出制御用マイクロコンピュータ３２、図２８のステップＳ３９６Ａ〜Ｓ３９６Ｃ）とを備え、
前記演出状態変更手段は、前記終了受付手段によって前記終了操作が受付けられたことを条件として前記演出状態を初期状態とする（たとえば、演出制御用マイクロコンピュータ３２、図１４のステップＳ３７９）。
【手続補正３】
【補正対象書類名】明細書
【補正対象項目名】０００７
【補正方法】変更
【補正の内容】
【０００７】
このような構成によれば、所定の遊技を開始するための開始操作が受付けられ、所定の遊技を終了させるための終了操作が受付けられ、開始操作が受付けられてから終了操作が受付けられるまでの遊技履歴情報が蓄積され、終了操作が受付けられたことに基づいて、蓄積された遊技履歴情報が出力され、所定の遊技における所定演出の演出状態が変更され、変更された演出状態に応じて所定演出が実行され、終了操作が受付けられたことを条件として演出状態が初期状態とされる。
【手続補正４】
【補正対象書類名】明細書
【補正対象項目名】００１７
【補正方法】変更
【補正の内容】
【００１７】
（６）  所定の遊技を行なうことが可能な遊技機を含む遊技システムであって、
前記遊技機は、
前記所定の遊技を開始するための開始操作を受付ける開始受付手段と、
前記所定の遊技を終了させるための終了操作を受付ける終了受付手段と、
前記開始受付手段によって前記開始操作が受付けられてから前記終了受付手段によって前記終了操作が受付けられるまでの遊技履歴情報を蓄積する遊技情報蓄積手段と、
前記終了受付手段によって前記終了操作が受付けられたことに基づいて、前記遊技情報蓄積手段によって蓄積された前記遊技履歴情報を出力する情報出力手段と、
前記所定の遊技における所定演出の演出状態を変更する演出状態変更手段と、
前記演出状態変更手段によって変更された前記演出状態に応じて前記所定演出を実行する演出実行手段とを備え、
前記演出状態変更手段は、前記終了受付手段によって前記終了操作が受付けられたことを条件として前記演出状態を初期状態とする。
【手続補正書】
【提出日】平成27年9月29日(2015.9.29)
【手続補正１】
【補正対象書類名】明細書
【補正対象項目名】０００９
【補正方法】変更
【補正の内容】
【０００９】
上記課題を解決するための本発明の記録装置は、複数のノズルから構成されるノズル群を複数備える記録ヘッドの前記複数のノズル群それぞれが、前記複数のノズルから複数通りの量のインクを付与することによって記録媒体上に互いにサイズが異なるドットを含む複数のドットを形成して記録を行う記録装置であって：画像データが示す画像の階調に応じて、前記複数のノズル群それぞれが前記記録媒体に形成すべきドットの配置をそれぞれ決定する配置決定手段と；前記複数のノズル群それぞれの吐出特性に応じて、前記配置決定手段によって決定されたドットの配置に基づき、前記配置決定手段で配置が決定されたドットそれぞれを記録するために吐出するインクのサイズを、前記複数のノズル群それぞれについて決定するサイズ決定手段と；前記サイズ決定手段によって決定されたサイズのインクそれぞれが前記配置決定手段によって決定された配置に基づく前記記録媒体の位置にそれぞれに吐出されるように前記記録ヘッドにインクを吐出させる吐出制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
複数のノズルから構成されるノズル群を複数備える記録ヘッドの前記複数のノズル群それぞれが、前記複数のノズルから複数通りの量のインクを付与することによって記録媒体上に互いにサイズが異なるドットを含む複数のドットを形成して記録を行う記録装置であって、
画像データが示す画像の階調に応じて、前記複数のノズル群それぞれが前記記録媒体に形成すべきドットの配置をそれぞれ決定する配置決定手段と、前記複数のノズル群それぞれの吐出特性に応じて、前記配置決定手段によって決定されたドットの配置に基づき、前記配置決定手段で配置が決定されたドットそれぞれを記録するために吐出するインクのサイズを、前記複数のノズル群それぞれについて決定するサイズ決定手段と、
前記サイズ決定手段によって決定されたサイズのインクそれぞれが前記配置決定手段によって決定された配置に基づく前記記録媒体の位置にそれぞれに吐出されるように前記記録ヘッドにインクを吐出させる吐出制御手段と、
を備えることを特徴とする記録装置。
【請求項２】
前記配置決定手段は、前記記録媒体の単位領域に形成すべき画像の濃度に基づいて前記単位領域に形成する前記ドットの配置を決定し、前記サイズ決定手段は、前記単位領域に形成すべき前記画像の濃度が第１の濃度の場合における前記単位領域に形成される第１のサイズのドットの個数と前記第１のサイズと異なる第２のサイズのドットの個数の比と、前記単位領域に形成すべき前記画像の濃度が前記第１の濃度と異なる第２の濃度の場合における前記比が実質的に等しくなるように前記インクのサイズを決定することを特徴とする請求項１に記載の記録装置。
【請求項３】
前記記録ヘッドの前記ノズル群は、第１の量のインクを吐出するための第１の長さの口径の第１の吐出口と、前記第１の量と異なる第２の量のインクを吐出するための第２の長さの口径の第２の吐出口と、を有し、前記サイズ決定手段は、前記記録媒体に形成するドットを前記第１の吐出口からのインクの吐出によって形成するか、前記第２の吐出口からのインクの吐出によって形成するかを決定することを特徴とする請求項１または２に記載の記録装置。
【請求項４】
前記ノズル群は、所定方向にノズルが配列されることで構成されるノズル列である請求項１から３のいずれか一項に記載の記録装置。
【請求項５】
前記ノズル群は、前記記録ヘッドが備える記録チップであることを特徴とする請求項１から３のいずれか一項に記載の記録装置。
【請求項６】
前記ノズル群は、前記記録ヘッドが備える記録チップを分割した部分であることを特徴とする請求項１から３のいずれか一項に記載の記録装置。
【請求項７】
前記吐出特性は、前記ノズルから付与されるインクの量である請求項１から６のいずれか一項に記載の記録装置。
【請求項８】
複数のノズルから構成されるノズル群を複数備える記録ヘッドの前記複数のノズル群それぞれが、前記複数のノズルから複数通りの量のインクを付与することによって記録媒体上に互いにサイズが異なるドットを含む複数のドットを形成して記録を行う記録方法であって、
画像データが示す画像の階調に応じて、前記複数のノズル群それぞれが前記記録媒体に形成すべきドットの配置をそれぞれ決定する配置決定工程と、
前記複数のノズル群それぞれの吐出特性に応じて、前記配置決定工程によって決定されたドットの配置に基づき、前記配置決定工程で配置が決定されたドットそれぞれを記録するために吐出するインクのサイズを、前記複数のノズル群それぞれについて決定するサイズ決定工程と、
前記サイズ決定工程によって決定されたサイズのインクそれぞれが前記配置決定工程によって決定された配置に基づく前記記録媒体の位置にそれぞれに吐出されるように前記記録ヘッドにインクを吐出させる吐出制御工程と、
を備えることを特徴とする記録方法。
【請求項９】
前記配置決定工程は、前記記録媒体の単位領域に形成すべき画像の濃度に基づいて前記単位領域に形成する前記ドットの配置を決定し、前記サイズ決定工程は、前記単位領域に形成すべき前記画像の濃度が第１の濃度の場合における前記単位領域に形成される第１のサイズのドットの個数と前記第１のサイズと異なる第２のサイズのドットの個数の比と、前記単位領域に形成すべき前記画像の濃度が前記第１の濃度と異なる第２の濃度の場合における前記比が実質的に等しくなるように前記インクのサイズを決定することを特徴とする請求項８に記載の記録方法。
【請求項１０】
前記記録ヘッドの前記ノズル群は、第１の量のインクを吐出するための第１の長さの口径の第１の吐出口と、前記第１の量と異なる第２の量のインクを吐出するための第２の長さの口径の第２の吐出口と、を有し、前記サイズ決定工程は、前記記録媒体に形成するドットを前記第１の吐出口からのインクの吐出によって形成するか、前記第２の吐出口からのインクの吐出によって形成するかを決定することを特徴とする請求項８または９に記載の記録方法。
【請求項１１】
前記ノズル群は、所定方向にノズルが配列されることで構成されるノズル列である請求項８から１０のいずれか一項に記載の記録方法。
【請求項１２】
前記ノズル群は、前記記録ヘッドが備える記録チップであることを特徴とする請求項８から１０のいずれか一項に記載の記録方法。
【請求項１３】
前記ノズル群は、前記記録ヘッドが備える記録チップを分割した部分であることを特徴とする請求項８から１０のいずれか一項に記載の記録方法。
【請求項１４】
前記吐出特性は、前記ノズルから付与されるインクの量である請求項８から１３のいずれか一項に記載の記録方法。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
本体に関節機構を介して接続された肢部を有し、
前記肢部の前記本体側と異なる側部に、前記側部を被うアーマーが配置され、
前記アーマーと前記本体とを回動可能に連結するジョイント部材を有し、
前記アーマーと前記肢部とを回動可能に連結する接続パーツを有する人形体。
【請求項２】
前記ジョイント部材は、球体と、前記球体に接続される軸体と、を有する請求項１に記載の人形体。
【請求項３】
前記ジョイント部材は、２個の球体と、一方の前記球体と他方の前記球体を連結する軸体とを有する請求項１に記載の人形体。
【請求項４】
前記接続パーツは、２個の球体と、一方の前記球体と他方の前記球体を連結する軸体とを有する請求項１に記載の人形体。
【手続補正２】
【補正対象書類名】明細書
【補正対象項目名】０００６
【補正方法】変更
【補正の内容】
【０００６】
本発明の人形体は、本体に関節機構を介して接続された肢部を有し、前記肢部の前記本体側と異なる側部に、前記側部を被うアーマーが配置され、前記アーマーと前記本体とを回動可能に連結するジョイント部材を有し、前記アーマーと前記肢部とを回動可能に連結する接続パーツを有する。
【手続補正３】
【補正対象書類名】明細書
【補正対象項目名】０００７
【補正方法】変更
【補正の内容】
【０００７】
本発明の人形体において、前記ジョイント部材は、球体と、前記球体に接続される軸体と、を有することが好ましい。
【手続補正４】
【補正対象書類名】明細書
【補正対象項目名】０００８
【補正方法】変更
【補正の内容】
【０００８】
本発明の人形体において、前記ジョイント部材は、２個の球体と、一方の前記球体と他方の前記球体を連結する軸体とを有することが好ましい。
【手続補正５】
【補正対象書類名】明細書
【補正対象項目名】０００９
【補正方法】変更
【補正の内容】
【０００９】
本発明の人形体において、前記接続パーツは、２個の球体と、一方の前記球体と他方の前記球体を連結する軸体とを有することが好ましい。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
沈降性を有する第一インクを貯留する第一インク貯留部と、
前記第一インクを吐出するノズルが設けられた第一ヘッドと、
前記第一インク貯留部から前記第一ヘッドに前記第一インクを供給する複数の第一インク供給路と、
前記複数の第一インク供給路の途中にそれぞれ設けられたバルブと、
前記第一インク供給路のうち供給方向における前記バルブよりも上流側の部位内に存在する前記第一インクを攪拌する攪拌部と、
前記攪拌部による前記第一インクの第一攪拌処理を実行してから所定時間経過後に、前記第一インクを再度撹拌する第二攪拌処理を実行する制御部であって、当該第二攪拌処理の実行後に、前記第一インク供給路のうち前記供給方向における前記バルブよりも下流側の部位内、及び、前記ヘッド内に存在する未攪拌の前記第一インクを、前記ノズルから排出させる制御部と、
を備えることを特徴とする印刷装置。
【請求項２】
請求項１に記載の印刷装置であって、
前記第一ヘッドは、前記ノズル毎に、当該ノズルと連通し且つ前記第一インクが充填された圧力室と、前記圧力室内の圧力を変動させる駆動素子と、を備え、
前記制御部は、前記駆動素子を駆動させて前記圧力室内の圧力を変動させることにより前記ノズルから前記第一インクを吐出させるフラッシング動作によって、前記第二攪拌処理の実行後に、未攪拌の前記第一インクを前記ノズルから排出させる、
ことを特徴とする印刷装置。
【請求項３】
請求項１または請求項２に記載の印刷装置であって、
前記制御部は、印刷ジョブの処理中に、前記第一インクの前記第一攪拌処理から前記所定時間が経過すると、当該印刷ジョブの処理中に前記第一インクの前記第二攪拌処理を実行する、
ことを特徴とする印刷装置。
【請求項４】
請求項１から請求項３の何れか１項に記載の印刷装置であって、
前記制御部は、印刷ジョブを処理していない時に、前記第一インクの前記第一攪拌処理から前記所定時間が経過すると、次の動作の開始前に前記第一インクの前記第二攪拌処理を実行する、
ことを特徴とする印刷装置。
【請求項５】
請求項１から請求項４の何れか１項に記載の印刷装置であって、
前記第一インクとは異なる色の第二インクを吐出するノズルが設けられた第二ヘッドと、
前記第二インクを貯留する第二のインク貯留部と、
前記第二のインク貯留部から前記ヘッドに前記第二インクを供給する複数の第二インク供給路と、
を備え、
前記第一インク貯留部には複数の前記第一インク供給路が接続され、当該複数の第一インク供給路では互いに異なる前記第一インク供給路間に複数のバイパス路が掛け渡され、
前記攪拌部は、複数の前記第一インク供給路と複数の前記バイパス路とで構成される循環路内で前記第一インクを循環することにより、前記第一インクを攪拌する、
ことを特徴とする印刷装置。
【請求項６】
請求項５に記載の印刷装置であって、
前記第一インク貯留部から供給された前記第一インクを貯留する一時貯留部と、複数の前記第一インク供給路からそれぞれ分岐して前記一時貯留部に接続する複数の分岐路と、
を備え、
前記攪拌部は、前記第一インク貯留部内の前記第一インクを前記第一インク供給路及び前記分岐路を介して前記一時貯留部に供給した後に、前記一時貯留部内の前記第一インクを前記分岐路及び前記第一インク供給路を介して前記第一インク貯留部に戻すことにより、前記第一インクを攪拌する、
ことを特徴とする印刷装置。
【請求項７】
沈降性を有する第一インクを貯留する第一インク貯留部と、前記第一インクを吐出するノズルが設けられたヘッドと、前記第一インク貯留部から前記ヘッドに前記第一インクを供給する複数の第一インク供給路と、前記複数の第一インク供給路の途中にそれぞれ設けられたバルブと、を備える印刷装置のメンテナンス方法であって、
前記第一インク供給路のうち供給方向における前記バルブよりも上流側の部位内に存在する前記第一インクを攪拌する攪拌処理を、前回の攪拌処理から所定時間の経過後に再実行することと、
前記攪拌処理の再実行後に、前記第一インク供給路のうち前記供給方向における前記バルブよりも下流側の部位内、及び、前記ヘッド内に存在する未攪拌の前記第一インクを、前記ノズルから排出することと、
を備えることを特徴とする印刷装置のメンテナンス方法。
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
液体を吐出するためのエネルギーを発生させる複数のアクチュエーターが形成された基板と、該基板の上に、前記液体を吐出する吐出口及び前記アクチュエーターが配置される複数の液室を構成する流路形成部材と、を備える液体吐出ヘッドの製造方法であって、
前記流路形成部材は、前記吐出口を構成するオリフィスプレートと、前記液室の側壁を構成する液室側壁と、を少なくとも含み、
（１）前記基板の上に、前記液室の型材となるモールドを形成する工程と、
（２）前記基板及び前記モールドの上に化学的気相蒸着法により無機材料を配置し、前記流路形成部材を形成する工程と、ここで、前記流路形成部材には、隣り合う二つの前記液室側壁の間であって前記モールドが配されていない領域に凹部が形成され、
（３）前記流路形成部材上及び前記凹部内に感光性樹脂を配置して感光性樹脂層を形成する工程と、
（４）前記感光性樹脂層を前記オリフィスプレートの上面が露出するまで研削し、前記凹部内に埋め込み材を形成する工程と、
（５）前記研削の後、前記流路形成部材に前記吐出口を形成する工程と、
（６）前記吐出口を形成した後、前記モールドを除去する工程と、
を有することを特徴とする液体吐出ヘッドの製造方法。
【請求項２】
前記工程（４）において、前記オリフィスプレートの上面と前記埋め込み材の上面とが平坦になるように研削する請求項１に記載の液体吐出ヘッドの製造方法。
【請求項３】
前記工程（４）において、前記感光性樹脂層をＣＭＰにより研削する請求項１又は２に記載の液体吐出ヘッドの製造方法。
【請求項４】
前記感光性樹脂はネガ型である請求項１乃至３のいずれかに記載の液体吐出ヘッドの製造方法。
【請求項５】
前記感光性樹脂層を研削する前に、前記流路形成部材の上に配置された感光性樹脂部分を露光により硬化させる請求項４に記載の液体吐出ヘッドの製造方法。
【請求項６】
前記感光性樹脂層を研削した後に、前記埋め込み材を露光により硬化させる請求項４に記載の液体吐出ヘッドの製造方法。
【請求項７】
前記工程（５）において、前記吐出口を形成する際に、前記埋め込み材に微細穴を形成する請求項１乃至６のいずれかに記載の液体吐出ヘッドの製造方法。
【請求項８】
液体を吐出するためのエネルギーを発生させる複数のアクチュエーターが形成された基板と、該基板の上に、前記液体を吐出する吐出口及び前記アクチュエーターが配置される複数の液室を構成する流路形成部材と、を備える液体吐出ヘッドであって、
前記流路形成部材は、前記吐出口を構成するオリフィスプレートと、前記液室の側壁を構成する液室側壁と、を少なくとも含み、
前記流路形成部材には、隣り合う二つの前記液室側壁の間には凹部があり、前記凹部には感光性樹脂が埋め込まれた感光性樹脂層が配置されていることを特徴とする液体吐出ヘッド。
【請求項９】
前記凹部に埋め込まれた感光性樹脂層の上面と前記オリフィスプレートの上面とは平坦である請求項８に記載の液体吐出ヘッド。
【請求項１０】
前記感光性樹脂はネガ型である請求項８または９に記載の液体吐出ヘッド。
【請求項１１】
前記凹部に埋め込まれた感光性樹脂層には微細穴が形成されている請求項８乃至１０のいずれかに記載の液体吐出ヘッド。
【請求項１２】
前記微細穴は前記凹部に埋め込まれた感光性樹脂層を貫通している請求項１１に記載の液体吐出ヘッド。
【請求項１３】
前記基板と平行方向に関して、前記微細穴の断面積は前記吐出口の断面積よりも小さい請求項１１または１２に記載の液体吐出ヘッド。
【請求項１４】
前記基板と平行方向に関して、前記微細穴の断面積は前記吐出口の断面積の１／１０以下である請求項１３に記載の液体吐出ヘッド。
【手続補正２】
【補正対象書類名】明細書
【補正対象項目名】発明の名称
【補正方法】変更
【補正の内容】
【発明の名称】液体吐出ヘッドの製造方法及び液体吐出ヘッド
【手続補正３】
【補正対象書類名】明細書
【補正対象項目名】０００１
【補正方法】変更
【補正の内容】
【０００１】
本発明は、液体吐出ヘッドの製造方法に関し、好ましくはインクジェット記録ヘッドの製造方法に関する。また、本発明は液体吐出ヘッドに関する。
【手続補正４】
【補正対象書類名】明細書
【補正対象項目名】００１０
【補正方法】変更
【補正の内容】
【００１０】
そこで、本発明は、
液体を吐出するためのエネルギーを発生させる複数のアクチュエーターが形成された基板と、該基板の上に、前記液体を吐出する吐出口及び前記アクチュエーターが配置される複数の液室を構成する流路形成部材と、を備える液体吐出ヘッドの製造方法であって、
前記流路形成部材は、前記吐出口を構成するオリフィスプレートと、前記液室の側壁を構成する液室側壁と、を少なくとも含み、
（１）前記基板の上に、前記液室の型材となるモールドを形成する工程と、
（２）前記基板及び前記モールドの上に化学的気相蒸着法により無機材料を配置し、前記流路形成部材を形成する工程と、ここで、前記流路形成部材には、隣り合う二つの前記液室側壁の間であって前記モールドが配されていない領域に凹部が形成され、
（３）前記流路形成部材上及び前記凹部内に感光性樹脂を配置して感光性樹脂層を形成する工程と、
（４）前記感光性樹脂層を前記オリフィスプレートの上面が露出するまで研削し、前記凹部内に埋め込み材を形成する工程と、
（５）前記研削の後、前記流路形成部材に前記吐出口を形成する工程と、
（６）前記吐出口を形成した後、前記モールドを除去する工程と、
を有することを特徴とする液体吐出ヘッドの製造方法である。
また本発明は、
液体を吐出するためのエネルギーを発生させる複数のアクチュエーターが形成された基板と、該基板の上に、前記液体を吐出する吐出口及び前記アクチュエーターが配置される複数の液室を構成する流路形成部材と、を備える液体吐出ヘッドであって、
前記流路形成部材は、前記吐出口を構成するオリフィスプレートと、前記液室の側壁を構成する液室側壁と、を少なくとも含み、
前記流路形成部材には、隣り合う二つの前記液室側壁の間には凹部があり、前記凹部には感光性樹脂が埋め込まれた感光性樹脂層が配置されていることを特徴とする液体吐出ヘッドである。
【誤訳訂正書】
【提出日】平成27年3月2日(2015.3.2)
【誤訳訂正１】
【訂正対象書類名】明細書
【訂正対象項目名】００４６
【訂正方法】変更
【訂正の内容】
【００４６】
本発明の組成物中で有用な強化剤（すなわちエラストマー変性剤）は、概して重合したジエンゴムのコアおよびポリアクリレートまたはポリメタクリレートシェルを有するグラフト共重合体などのゴム相と熱可塑性相との両方を有するポリマー化合物と、フリーラジカル重合性モノマーおよび共重合体安定剤からエポキシド中においてｉｎ  ｓｉｔｕで重合したエラストマー粒子（すなわちｉｎ  ｓｉｔｕとは、粒子が強化されることを意図したエポキシ樹脂中で粒子が生成されることをいう）と、エラストマー分子と、別個のエラストマー前駆体分子と、エポキシ樹脂セグメントとエラストマーセグメントとを含む組合せ分子と、このような別個の分子と組合せ分子との混合物とを含む。これらの材料は、剥離強度をはじめとする構造的特性を改善するために使用される。組合せ分子は、エポキシ樹脂材料とエラストマーセグメントとの反応によって調製されても良く、反応によって未反応エポキシ基などの反応性官能基が反応生成物上に残る。エポキシ樹脂中での強化剤の一般的な使用については周知であり、その内容を本願明細書に引用したものとするＣ．Ｋ．ＲｉｅｗおよびＪ．Ｋ．Ｇｉｌｌｈａｍ編の「Ｒｕｂｂｅｒ−Ｍｏｄｉｆｉｅｄ Ｔｈｅｒｍｏｓｅｔ Ｒｅｓｉｎｓ」と題されたＡｄｖａｎｃｅｓ ｉｎ Ｃｈｅｍｉｓｔｒｙ Ｓｅｒｉｅｓ Ｎｏ．２０８、Ａｍｅｒｉｃａｎ Ｃｈｅｍｉｃａｌ Ｓｏｃｉｅｔｙ、Ｗａｓｈｉｎｇｔｏｎ、１９８４年、で述べられている。使用される強化剤の量は所望の硬化樹脂の最終物理特性によりある程度左右され、概して経験的に定められる。
【誤訳訂正書】
【提出日】平成27年1月8日(2015.1.8)
【誤訳訂正１】
【訂正対象書類名】特許請求の範囲
【訂正対象項目名】全文
【訂正方法】変更
【訂正の内容】
【特許請求の範囲】
【請求項１】
プラットフォーム（２）とブレード担持体（２２）に接続されるように配置された少なくとも一つの根元部（３）を備えたブレード（１）において、
前記プラットフォーム（２）の反対の周方向の側から、翼形部分（５，６）が延びており、
一方の作動面（７，８）の境界を定めている前記翼形部分が各々他方の翼形部分（６，５）に面している面であり、
前記翼形部分（５，６）の一つの作動面（７，８）が、吸引側の境界を定めており、翼形部分の他方の作動面が圧力側の境界を定めており、組立てられた場合、互いに接続された２つの異なる隣接するブレード（１）の２つの翼形部分（５）および（６）が翼形（２４）を形成し、
前記翼形部分（５，６）の少なくとも一つの内側面（１４，１５）が、多数のブレード（１）がブレード担持体（２２）上に組立てられた場合、スペーサ（１８，３０）が二つの隣接した翼形部分（５，６）の間に挿入されているように、スペーサ（１８，３０）を備えていることを特徴とするブレード（１）。
【請求項２】
前記ブレード（１）は、前記翼形部分（５，６）を有し、該翼形部分（５，６）はスペーサ（１８）を備え、該スペーサ（１８）はスライドするようにして互いに接続されていることを特徴とする請求項１記載のブレード（１）。
【請求項３】
前記根元部（３）は、３つの担持リブ（４２）により画定されることを特徴とする請求項１又は２記載のブレード（１）。
【請求項４】
前記翼形部分（５，６）の両方の端部に接続されたシュラウド（１０）を備えており、
翼形部分（５，６）を備えたプラットフォーム（２）とシュラウド（１０）が閉鎖した流路（１１）の境界を定めていることを特徴とする請求項１〜３のいずれか一つに記載のブレード（１）。
【請求項５】
作動面（７，８）に向かい合う各翼形部分（５，６）の面が、多数のブレード（１）が翼形（２４）の内側面（１４，１５）の境界を定めており、ブレード担持体（２２）上に組立てられた場合、この内側面が二つの隣接した翼形部分（５，６）により境界を定められていることを特徴とする請求項１〜４のいずれか一つに記載のブレード（１）。
【請求項６】
翼形部分（５，６）の少なくとも一つの内側面（１４，１５）が、熱交換を増大させるように配置された熱伝達促進体（１７）を有していることを特徴とする請求項１〜５のいずれか一つに記載のブレード（１）。
【請求項７】
翼形部分（５，６）の少なくとも一つおよび／またはプラットフォーム（２）および／またはシュラウド（１０）が、それを通して冷却空気を通過させるように配置された貫通孔（２０）を備えていることを特徴とする請求項１〜６のいずれか一つに記載のブレード（１）。
【請求項８】
他のブレード（１）に隣接したブレード担持体（２２）上に組立てられており、ブレード（１）の圧力側の境界を定めている作動面を備えた翼形部分（６）が、隣接したブレード（１）の吸引側の境界を定めている作動面を備えた翼形部分（６）に接続していることを特徴とする請求項１〜７のいずれか一つに記載のブレード（１）。
【請求項９】
隣接した翼形部分（５，６）の間に、空間（２５）が境界を定められていることを特徴とする請求項１〜８のいずれか一つに記載のブレード（１）。
【請求項１０】
空間（２５）の内側の圧縮された冷却空気を供給するために配置された管状インサート（２７）を備えていることを特徴とする請求項１〜９のいずれか一つに記載のブレード（１）。
【請求項１１】
管状インサート（２７）が、ブレード（１）の根元部（３）の領域（２８）において、空間（２５）の内側に一方の端部を有しており、空間（２５）の外側に反対側の端部を有していることを特徴とする請求項１〜１０のいずれか一つに記載のブレード（１）。
【請求項１２】
管状インサート（２７）が、翼形部分（５，６）から隔てられ、該管状インサート（２７）が翼形部分（５，６）の内側面（１４，１５）に対して支えられるように配置されたスペーサ（３０）を備えるか、スペーサ（３０）が翼形部分（５，６）の内側面（１４，１５）から延びていることを特徴とする請求項１〜１１のいずれか一つに記載のブレード（１）。
【請求項１３】
管状インサート（２７）が、冷却空気が空間（２５）に入るのを制御するように配置された、多数の調節された貫通孔（３１）を有していることを特徴とする請求項１〜１２のいずれか一つに記載のブレード（１）。
【請求項１４】
プラットフォーム（２）が管状インサートを通過させるための孔（２６）を有していることを特徴とする請求項１〜１３のいずれか一つに記載のブレード（１）。
【請求項１５】
封隙部（３２，３３）を備えており、これらの封隙部がプラットフォーム（２）の側方縁部および／またはシュラウド（１０）の側方縁部に設けられていることを特徴とする請求項１〜１４のいずれか一つに記載のブレード（１）。
【請求項１６】
シュラウド（１０）に封隙部（３４）を備えていることを特徴とする請求項１〜１５のいずれか一つに記載のブレード（１）。
【誤訳訂正２】
【訂正対象書類名】明細書
【訂正対象項目名】００３４
【訂正方法】変更
【訂正の内容】
【００３４】
図１０はスペーサ１８の好ましい実施例を示している。この実施例ではブレード部分５および６は共にスペーサ１８を有しており、これらのスペーサは互いにスライドするように接続している。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
クエリを動的に生成する方法であって、
ディスプレイ装置に、各々複数のテキスト文書の１つを表す複数のグラフィックオブジェクトを表示する工程と、
触覚ユーザインターフェースの前記ディスプレイ装置において前記触覚ユーザインターフェースへのタッチに応じて移動可能な仮想磁石でありかつ前記複数のグラフィックオブジェクトのうちの所定数のグラフィックオブジェクトを当該仮想磁石に引き寄せ又は当該仮想磁石からはじくことができる当該仮想磁石を提供する工程と、
前記複数のテキスト文書の１つをユーザが選択できると共に前記グラフィックオブジェクトの１つを前記ユーザが選択できることを提供する工程と、
前記ディスプレイ装置に、前記選択されたテキスト文書を表示する工程と、
前記表示されるテキスト文書のテキストコンテンツからのテキストフラグメントの選択として、前記触覚ユーザインターフェースでの前記表示されるテキスト文書における強調表示ジェスチャを認識する工程と、
前記強調表示ジェスチャにより前記表示されるテキスト文書から選択される前記テキストフラグメントに基づくクエリに前記仮想磁石を組み込む工程と、
を含み、
前記クエリと前記グラフィックオブジェクトが表すテキスト文書のテキストコンテンツとの機能として、前記複数のグラフィックオブジェクトのうちの前記所定数のグラフィックオブジェクトが、前記仮想磁石に引き寄せられ又は前記仮想磁石からはじかれるように、反応することと、
前記クエリの反応インスタンスを前記テキスト文書内に表示すること、
のうちの少なくとも１つを、前記仮想磁石を組み込む工程により発生させるように、前記組み込まれた前記仮想磁石が構成される
方法。
【請求項２】
前記選択できることを提供する工程は、前記所定数のグラフィックオブジェクトが、当該所定数のグラフィックオブジェクトによって表される所定数のアイテムの各々の属性の機能として前記仮想磁石に反応することを含む、請求項１に記載の方法。
【請求項３】
前記仮想磁石を組み込む工程は、コンピュータプロセッサで実行される請求項１に記載の方法。
【請求項４】
前記認識する工程は、前記強調表示ジェスチャとして前記表示されるテキスト文書への第１タッチ接触を検知する工程と、対応する強調表示テキストフラグメントを抽出する工程と、を含む、請求項１に記載の方法。
【請求項５】
前記仮想磁石の第２タッチ接触を、前記強調表示テキストフラグメントに基づいて前記クエリを更新する前記第１タッチ接触と前記第２タッチ接触との間の仮想ブリッジを生成することとして、検知する工程を更に備える請求項４に記載の方法。
【請求項６】
前記仮想磁石を組み込む工程は、
前記表示されるテキスト文書のテキストフラグメントに基づいて、第１仮想磁石が、前記クエリの第１の部分に組み込まれるようにすることと、
前記表示されるテキスト文書のテキストフラグメントに基づいて、第２仮想磁石が、前記クエリの第２の部分に組み込まれるようにすることを含み、
これにより、前記第１仮想磁石及び前記第２仮想磁石を、同時に前記テキスト文書の距離閾値内に存在するように置くことで、前記第１仮想磁石及び前記第２仮想磁石が、前記クエリが表示される前記テキスト文書に適用される、請求項１に記載の方法。
【請求項７】
前記仮想磁石を、キー入力装置を用いずに前記クエリに組み込むことを特徴とする請求項１に記載の方法。
【請求項８】
コンピュータにより実行されたとき、請求項１に記載の方法を実行する命令を符号化する非一時的な記憶媒体を含むコンピュータプログラム製品。
【請求項９】
請求項１に記載の方法を実行するための、メモリに記憶された命令と、
前記命令を実行するために前記メモリと通信するプロセッサと、
タッチコマンドを受信するため及び前記グラフィックオブジェクト、前記テキスト文書、及び前記仮想磁石を表示するために前記プロセッサと通信する触覚ユーザインターフェースと、
を備えるクエリを動的に生成するシステム。
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
構成レシーバで、第１のヘルスケアエンティティがヘルスケアメッセージの主題を一意に識別するために利用される識別子の第１のセットと、第２のヘルスケアエンティティがヘルスケアメッセージの主題を一意に識別するために利用される、第１のセットとは異なる識別子の第２のセットとを、第１のヘルスケアエンティティおよび第２のヘルスケアエンティティからの情報を受け取ることによって決定するステップと、
相関ジェネレータで、識別子の第１のセットと第２のセットに基づいて、着信メッセージの主題を識別子の第１のセットと第２のセットと関連づける複数のコリレータを生成するステップであって、前記コリレータのそれぞれは、特定のタイプのヘルスケアメッセージの主題を扱うようにカスタマイズ可能である、ステップと、
識別子の第１のセットと第２のセットを、電子臨床情報システムに格納するステップと、
第１のヘルスケアエンティティまたは第２のヘルスケアエンティティからヘルスケアメッセージを受け取ると、電子臨床情報システムに格納されている識別子との相関のために、ヘルスケアメッセージの１つ以上の第１の主題を識別するステップと、
コリレータセレクタで、識別された主題のそれぞれを識別された主題のそれぞれと関連付けるコリレータの一つを選択するステップと、
識別された主題のそれぞれを識別された主題のそれぞれと関連付けるために、選択されたコリレータを用いて、識別されたメッセージの主題を、電子臨床情報システムに格納された識別子と関連付けするステップと、
を含む、コンピュータ実施される方法。
【請求項２】
前記ヘルスケアメッセージの前記受け取ること（４００）の前に、前記電子臨床情報システム（１２４）の識別スキーマへの前記第１ヘルスケアエンティティ（１０４）の前記第１識別スキーマの第１マッピング（２１２）を生成すること（３０４）をさらに含む、請求項１に記載のコンピュータ実施される方法。
【請求項３】
前記ヘルスケアメッセージの前記受け取ること（４００）の前に、前記電子臨床情報システム（１２４）の前記第２の識別スキーマへの前記第１識別スキーマとは異なる第２ヘルスケアエンティティ（１０６）の第３識別スキーマの第２マッピング（２１２）を生成すること（３０４）をさらに含む、請求項２に記載のコンピュータ実施される方法。
【請求項４】
前記ヘルスケアメッセージのソースを識別し（４０２）、前記相関プロセスのために前記識別されたソースに基づいて識別子の前記第１のセットおよび前記第２セットのうちの１つを選択することをさらに含む、請求項３に記載のコンピュータ実施される方法。
【請求項５】
前記１つ以上の第１の主題は、患者、外来診察、検査室レポート、指示、治療の場所、ヘルスケアプロバイダ、または観察のうちの少なくとも１つを含む、請求項１記載のコンピュータ実施される方法。
【請求項６】
第１のヘルスケアエンティティがヘルスケアメッセージの主題を一意に識別するために利用される識別子の第１のセットと、第２のヘルスケアエンティティがヘルスケアメッセージの主題を一意に識別するために利用される、第１のセットとは異なる識別子の第２のセットとを決定する構成レシーバと、
ヘルスケアメッセージを受け取るデータフィードと、
識別子の第１のセットと第２のセットに基づいて、特定のタイプのヘルスケアメッセージの主題を扱うようにカスタマイズ可能である複数のコリレータを生成する相関ジェネレータと、
識別子の第１のセットと第２のセットを、電子臨床情報システムに格納するデータベースと、
アイデンティファイヤであって、
電子臨床情報システムに格納されている対応する識別子との相関のために、第１のヘルスケアエンティティからヘルスケアメッセージを受け取ると、識別子の第１のセットに対応するヘルスケアメッセージの１つ以上の第１の主題を識別し、かつ
第２のヘルスケアエンティティからヘルスケアメッセージを受け取ると、識別子の第２のセットに対応するヘルスケアメッセージの１つ以上の第２の主題を識別する、
アイデンティファイヤと、
識別された主題のそれぞれを識別された主題のそれぞれと関連付けるコリレータの一つを選択するセレクタと、
を備え、
前記コリレータは、識別された主題のそれぞれを識別された主題のそれぞれと関連付けして、識別されたメッセージの主題のそれぞれを電子臨床情報システムに格納された識別子と関連付けするために、選択されたコリレータを用い、
前記アイデンティファイヤおよび前記セレクタのうちのすくなくとも１つは、プロセッサにより実装される、
装置。
【請求項７】
前記ヘルスケアメッセージの前記受け取ることの前に、前記電子臨床情報システム（１２４）の第２の識別スキーマへの前記第１エンティティ（１０４）の前記第１識別スキーマの第１マッピング（２１２）を生成するジェネレータ（２０４）をさらに含む、請求項６に記載の装置。
【請求項８】
前記ヘルスケアメッセージの前記受け取ることの前に、前記電子臨床情報システムの前記第２識別スキーマへの前記第１識別スキーマとは異なる第２ヘルスケアエンティティ（１０６）の第２識別スキーマの第３マッピングを生成するジェネレータ（２０４）をさらに含む、請求項７に記載の装置。
【請求項９】
前記ヘルスケアメッセージのソースを識別するソースアイデンティファイヤをさらに備える、請求項８に記載の装置。
【請求項１０】
前記１つ以上の第１の主題は、患者、外来診察、検査室レポート、指示、治療の場所、ヘルスケアプロバイダ、または観察のうちの少なくとも１つを含む、請求項６に記載の装置。
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
垂直部及び上記垂直部に連続する傾斜底板部を有する擁壁用Ｌ字型コンクリートブロックの製造に用いるコンクリートブロック製造型枠であって、
成形基板と、
上記成形基板を載置する載置架台と、
を有し、
上記成形基板を上記載置架台に載置した状態で、上記垂直部及び上記傾斜底板部を有する擁壁用Ｌ字型コンクリートブロック形状を成形するためのコンクリート打設空間が形成されるとともに、
上記コンクリート打設空間には、成形により擁壁用Ｌ字型コンクリートブロックに貫通孔を形成するためのテーパーピンが設けられており、
上記成形基板には、上記載置架台からの取り外しの際に用いる吊り下げ部材が形成されており、
上記コンクリート打設空間に打設されたコンクリートが半凝固した状態で、該コンクリートと上記成形基板を一体的に、上記載置架台から取り外すことが可能に形成されており、
上記コンクリート打設空間は、
上記成形基板を上記載置架台に載置した状態において、上記成形基板と、上記垂直部の側面を規定する上記載置架台に設けられた側壁部と、上記傾斜底板部の一面を規定する傾斜底板成形板とによって形成され、
上記側壁部は、上記コンクリート打設空間に打設されたコンクリートから離間可能に形成され、
また上記傾斜底板成形板は、上記成形基板に対して着脱可能とされており、
上記コンクリート打設空間に打設されたコンクリートと上記成形基板を一体的に上記載置架台から取り外す際には、上記傾斜底板成形板が上記成形基板から取り外され、かつ上記側壁部が上記垂直部の側面から離間された状態で、上記吊り下げ部材を用いて吊り下げられることで、上記載置架台からの取り外しが行われる構造とされている
コンクリートブロック製造型枠。
【請求項２】
上記吊り下げ部材は、上記成形基板の傾斜底板成形板とは反対側の端部付近に形成されている請求項１に記載のコンクリートブロック製造型枠。
【請求項３】
上記傾斜底板成形板が上記成形基板から取り外された状態において、上記載置架台の上記傾斜底板成形板側が開放されている請求項１に記載のコンクリートブロック製造型枠。
【請求項４】
垂直部及び上記垂直部に連続する傾斜底板部を有する擁壁用Ｌ字型コンクリートブロックの製造方法として、
成形基板と、
上記成形基板を載置する載置架台と、
を有し、
上記成形基板を上記載置架台に載置した状態で、上記垂直部及び上記傾斜底板部を有する擁壁用Ｌ字型コンクリートブロック形状を成形するためのコンクリート打設空間が形成されるとともに、
上記コンクリート打設空間には、成形により擁壁用Ｌ字型コンクリートブロックに貫通孔を形成するためのテーパーピンが設けられており、
上記成形基板には、上記載置架台からの取り外しの際に用いる吊り下げ部材が形成されており、
上記コンクリート打設空間に打設されたコンクリートが半凝固した状態で、該コンクリートと上記成形基板を一体的に、上記載置架台から取り外すことが可能に形成されており、
上記コンクリート打設空間は、
上記成形基板を上記載置架台に載置した状態において、上記成形基板と、上記垂直部の側面を規定する上記載置架台に設けられた側壁部と、上記傾斜底板部の一面を規定する傾斜底板成形板とによって形成され、
上記側壁部は、上記コンクリート打設空間に打設されたコンクリートから離間可能に形成され、
また上記傾斜底板成形板は、上記成形基板に対して着脱可能とされており、
上記コンクリート打設空間に打設されたコンクリートと上記成形基板を一体的に上記載置架台から取り外す際には、上記傾斜底板成形板が上記成形基板から取り外され、かつ上記側壁部が上記垂直部の側面から離間された状態で、上記吊り下げ部材を用いて吊り下げられることで、上記載置架台からの取り外しが行われる構造とされている製造型枠を用いた製造方法であって、
上記成形基板を上記載置架台に載置した状態で形成される、上記垂直部及び上記傾斜底板部を有する擁壁用Ｌ字型コンクリートブロック形状を成形するためのコンクリート打設空間に、コンクリートを打設し、該打設した状態で一次養生を行う工程と、
上記一次養生によって上記コンクリートが半凝固した状態で、該コンクリートと上記成形基板を一体的に、上記載置架台から取り外す工程と、
上記成形基板と一体的に取り外された上記コンクリートを二次養生する工程と、
を少なくとも有する擁壁用Ｌ字型コンクリートブロック製造方法。
【請求項５】
上記一次養生は３時間から４時間である請求項４に記載の擁壁用Ｌ字型コンクリートブロック製造方法。
【請求項６】
上記二次養生は、上記コンクリートを上記成形基板と一体的に水中に配置する水養生である請求項４に記載の擁壁用Ｌ字型コンクリートブロック製造方法。
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
放射線硬化性ゲルインク平坦化方法であって、
放射線硬化性ゲルインク画像を形成するために印字ヘッドから直接に前記放射線硬化性ゲルインクを基材上に噴射すること、及び
前記基材上に噴射された前記放射線硬化性ゲルインクを、金属酸化物を含む接触表面を有する接触部材と直接接触させること、
を含む、前記方法。
【請求項２】
前記接触部材の前記表面が二酸化チタンを含む、請求項１に記載の方法。
【請求項３】
前記放射線硬化性インクの粘度を増加させるために前記ゲルインクにＵＶ放射を作用させることをさらに含み、該インクはＵＶ硬化性である、
請求項１に記載の方法。
【請求項４】
前記インクを前記接触部材と接触させることの前に、前記ゲルインクにＵＶ放射を作用させることをさらに含み、該インクはＵＶ硬化性である、
請求項１に記載の方法。
【請求項５】
前記接触部材の前記表面が酸化クロムを含む、請求項１に記載の方法。
【請求項６】
前記接触させることが、前記接触部材を用いて前記インクに圧力をかけることにより、前記噴射されたゲルインクを平坦化することをさらに含む、請求項１に記載の方法。
【請求項７】
前記ゲルインクを前記接触部材と接触させることの前に、前記接触部材の表面に水性の犠牲剥離流体を添加することをさらに含み、該水性の犠牲剥離流体は界面活性剤及び高分子化合物の少なくとも一方を含み、前記接触部材の前記表面は親水性である、
請求項１に記載の方法。
【請求項８】
前記ゲルインクを硬化させるために前記平坦化されたゲルインクにＵＶ光を放射することをさらに含む、請求項１に記載の方法。
【請求項９】
ゲルインクが直接に基材上に噴射された後、該ゲルインクを最終的に硬化させる前に、基材上のゲルインクと接触する接触表面を有する接触部材を含み、前記接触表面は金属酸化物を含む、
放射線硬化性ゲルインク平坦化装置。
【請求項１０】
前記金属酸化物が二酸化チタンを含む、請求項９に記載の装置。
【請求項１１】
前記金属酸化物が酸化クロムを含む、請求項９に記載の装置。
【請求項１２】
放射線源をさらに含む、
請求項９に記載の装置。
【請求項１３】
印刷プロセスにおいて前記接触部材が前記基材上の前記ゲルインクと接触する前に、噴射されたゲルインクの粘度を増加させるように構成された第１の放射線源と、
印刷プロセスにおいて前記接触部材が前記基材上の前記ゲルインクと接触した後に、前記ゲルインクを硬化させるように構成された第２の放射線源と、をさらに含む、
請求項９に記載の装置。
【請求項１４】
前記放射線源は、前記接触部材が前記ゲルインクと接触する前に、前記ゲルインクを照射するように構成されている、請求項１２に記載の装置。
【請求項１５】
前記放射線源は、前記ゲルインクにＵＶ放射を作用させるように構成されており、該インクはＵＶ硬化性である、請求項１２に記載の装置。
【請求項１６】
インクジェット印字ヘッドをさらに含み、該印字ヘッドは、前記ゲルインクを直接に前記基材上に噴射するように構成されている、
請求項９に記載の装置。
【請求項１７】
放射線硬化性ゲルインクを基材に直接デジタル印刷するシステムであって、
ゲルインク画像を形成するために放射線硬化性ゲルインクを直接に基材上に噴射するように構成されているインクジェット印字ヘッドと、
平坦化装置であって、該平坦化装置は接触部材を含み、該接触部材は前記基材上の前記ゲルインクと接触するように構成され、該接触部材は親水性の接触表面を含み、該接触表面は金属酸化物を含む、前記平坦化装置と、
前記接触表面が前記ゲルインクと接触する前に、水性の剥離流体を前記接触表面に添加する、犠牲剥離流体システムと、
を含む、前記システム。
【請求項１８】
前記接触部材が前記ゲルインクと接触した後に、前記ゲルインクを硬化させるように構成されているＵＶ源をさらに含み、該ゲルインクはＵＶ硬化性である、
請求項１７に記載のシステム。
【請求項１９】
前記接触部材が前記ゲルインクと接触する前に、前記ゲルインクにＵＶ放射を作用させるように構成されているＵＶ源をさらに含む、
請求項１７に記載のシステム。
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
脆性材料基板に圧接・転動させてスクライブするためのスクライビングホイールであって、
円板のスクライビングホイール基材と、
前記スクライビングホイール基材の刃先部分に形成されたダイヤモンド膜と、
前記ダイヤモンド膜を機械研磨して形成された研磨領域と、を具備し、
前記スクライビングホイール基材は、円板の周囲の側面に最大径となる部分と
傾斜面を有し、
前記スクライビングホイール基材の傾斜面がなす頂角α１と前記ダイヤモンド膜の先端部がなす刃先角度α２との差が５°以上２０°以下であるスクライビングホイール。
【請求項２】
前記スクライビングホイール基材は、側面に中心軸と同軸の円柱状の円周面を形成した請求項１記載のスクライビングホイール。
【請求項３】
前記スクライビングホイール基材は、側面に内向き及び外向きのいずれかに湾曲する前記中心軸と同軸の円周面を有する請求項１記載のスクライビングホイール。
【請求項４】
前記スクライビングホイール基材は、側面に内向き及び外向きのいずれかに断面がＶ字状となる前記中心軸と同軸の円周面を有する請求項１記載のスクライビングホイール。
【請求項５】
前記スクライビングホイール基材は、超硬合金からなる請求項１記載のスクライビングホイール。
【請求項６】
前記スクライビングホイールは、セラミックス基板をスクライブするスクライビングホイールである請求項１記載のスクライビングホイール。
【請求項７】
前記研磨領域の稜線部分を所定間隔で切り欠いた溝を有し、その間を突起とした請求項１〜６のいずれか１項記載のスクライビングホイール。
【請求項８】
請求項１〜７のいずれか１項に記載のスクライビングホイールを用いて、脆性材料基板をスクライブするスクライブ方法。
【請求項９】
前記脆性材料基板がセラミックス基板である請求項８記載のスクライブ方法。
【手続補正２】
【補正対象書類名】明細書
【補正対象項目名】発明の名称
【補正方法】変更
【補正の内容】
【発明の名称】スクライビングホイール及びスクライブ方法
【手続補正３】
【補正対象書類名】明細書
【補正対象項目名】０００１
【補正方法】変更
【補正の内容】
【０００１】
本発明は脆性材料基板に圧接・転動させてスクライブするためのスクライビングホイール及びスクライブ方法に関するものである。
【手続補正４】
【補正対象書類名】明細書
【補正対象項目名】０００５
【補正方法】変更
【補正の内容】
【０００５】
本発明はこのような問題点に鑑みてなされたものであって、スクライビングホイールの長寿命化、微細化を図ることができるスクライビングホイール及びそのスクライビングホイールを用いたスクライブ方法を提供することを目的とする。
【手続補正５】
【補正対象書類名】明細書
【補正対象項目名】０００６
【補正方法】変更
【補正の内容】
【０００６】
この課題を解決するために、本発明のスクライビングホイールは、脆性材料基板に圧接・転動させてスクライブするためのスクライビングホイールであって、円板のスクライビングホイール基材と、前記スクライビングホイール基材の刃先部分に形成されたダイヤモンド膜と、前記ダイヤモンド膜を機械研磨して形成された研磨領域と、を具備し、前記スクライビングホイール基材は、円板の周囲の側面に最大径となる部分と傾斜面を有し、前記スクライビングホイール基材の傾斜面がなす頂角α１と前記ダイヤモンド膜の先端部がなす刃先角度α２との差が５°以上２０°以下であるものである。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】